(57)【要約】  トローリングモータ用施錠装置（１０）は、ヒンジ（７０）を介して蓋体（２０）に取り付けられる基体（４０）を有する。基体（４０）及び蓋体（２０）は、蓋体（２０）が基体（４０）に係合して回転した場合、トローリングモータ（４）のモータ支持部（６）の取付ネジ（１８）のヘッド部（８）を覆い、それらが回転することを防止する。基体（４０）及び蓋体（２０）は、側壁部（２５，４５）に、協働する切り欠き部（３１，３３，３５，５１，５３，５５）を有し、それらによって、取付ネジ（１８）のシャフトが、切り欠き部（３１，３３，３５，５１，５３，５５）を貫通することが可能になる。そのようにして、基体（４０）及び蓋体（２０）は、取付ネジ（１８）のヘッド部（８）の上方を挟持する。基体（４０）及び蓋体（２０）は、協働する受容部（６７）及び回転可能な外れ止め（６５）を有するシリンダ錠（６２）も含み、それによって、基体（４０）及び蓋体（２０）は、ともに固定され、それらの間の取付ネジ（１８）のヘッド部（８）を保護する。
2008545906.tif 000002
【特許請求の範囲】
【請求項１】
ボート（２）及びトローリングモータ（４）に利用するトローリングモータ用施錠装置（１０）であって、上記トローリングモータ（４）は、モータ支持部（６）と複数の取付ネジ（１８）とを含み、上記取付ネジ（１８）の各々は、上記トローリングモータ（４）を上記ボート（２）のトランサム（１２）に固定するためのヘッド部（８）を有しており、
基体（４０）と、蓋体（２０）と、施錠部（６０）とを備え、
上記蓋体（２０）は、上記基体（４０）に回動可能に固定され、更に、上記取付ネジ（１８）の上記ヘッド部（８）を保持するために、箱状の構造を形成するように基体（４０）を覆うことができ、
上記施錠部（６０）は、外れ止め（６５）と外れ止め受け（６７）を有し、上記外れ止め（６５）は、上記外れ止め受け（６７）との係合を選択可能であり、
上記外れ止め（６５）は、上記蓋体に（２０）固定され、
上記外れ止め受け（６７）は、上記基体（４０）に固定されており、
上記基体（４０）及び上記蓋体（２０）は、上記外れ止め（６５）が上記外れ止め受け（６７）と係合している場合に、互いに固定される施錠装置（１０）。
【請求項２】
上記基体（４０）は、基体（４０）の底面部（４１）を含み、
上記外れ止め受け（６７）は、上記基体（４０）の上記底面部（４１）に固定され、
上記蓋体（２０）は、上面部（２１）を含み、
上記外れ止め（６５）は、上記蓋体（２０）の上記上面部（２１）に固定された錠シリンダ（６２）の一部である請求項１の施錠装置（１０）。
【請求項３】
上記基体（４０）は、上向きの複数の切り欠き部（５１，５３，５５）を有する背面部（４５）を含み、
上記蓋体（２０）は、下向きの複数の切り欠き部（３１，３３，３５）を有する背面部（２５）を含む請求項２の施錠装置（１０）。
【請求項４】
上記基体（４０）の切り欠き部（５１，５３，５５）は、蓋体（２０）の切り欠き部（３１，３３，３５）と協働するように配置され、それによって、蓋体（２０）及び基体（４０）が閉鎖状態にある場合に、取付ネジ（１８）の一部が、上記切り欠き部（５１，５３，５５，３１，３３，３５）を通り、
上記取付ネジ（１８）の上記ヘッド部（８）は、上記切り欠き部（５１，５３，５５，３１，３３，３５）の間に保持される請求項３の施錠装置（１０）。
【請求項５】
上記外れ止め（６５）は、少なくとも１つの外れ止め突起（６６）を含み、
上記外れ止め受け（６７）は、スロット（６８）を含み、上記スロット（６８）は、上記スロット（６８）の内方に形成される少なくとも１つの突起（６９）を有し、
外れ止め突起（６６，６９）は、固定するように係合可能である請求項４の施錠装置（１０）。
【請求項６】
上記蓋体（２０）は、ピン（７０）によって、回動可能に基体（４０）に取り付けられ、
上記ピン（７０）は、頭部（７２）と、口を広げられる端部（７４）とを含み、上記広げた端部（７４）は、ワッシャ（７６）によって保持される請求項５の施錠装置（１０）。
【請求項７】
トローリングモータ（４）に利用するトローリングモータ用施錠装置（１０）であって、上記トローリングモータ（４）は、トローリングモータ（４）をボート（２）のトランサム（１２）に取り付けるためのモータ支持部（６）及び取付ネジ（１８）を含み、各取付ネジ（１８）は、ボートのトランサム（１２）に取付ネジ（１８）を締め付け又緩めるためのヘッド部（８）を含み、
基体（４０）と、蓋体（２０）と、外れ止め（６５）と、外れ止め受け（６７）とを備え、
上記蓋体（２０）は、上記基体（４０）に回動可能に固定され、更に、上記取付ネジ（１８）の上記ヘッド部（８）を保持するために、箱状の構造を形成するように基体（４０）を覆うことができ、
上記外れ止め（６５）は、上記蓋体（２０）に固定され、
外れ止め受け（６７）は、基体（４０）に固定され、
上記外れ止め（６５）は、上記外れ止め受け（６７）との係合を選択可能であり、
上記基体（４０）及び上記蓋体（２０）は、上記外れ止め（６５）が上記外れ止め受け（６７）と係合している場合に、互いに固定される施錠装置（１０）。
【請求項８】
上記基体（４０）は、底面部（４１）を含み、
外れ止め受け（６７）は、基体（４０）の底面部（４１）に固定され、
上記蓋体（２０）は、上面部（２１）を含み、
外れ止め（６５）は、蓋体（２０）の上面部（２０）に固定される錠シリンダ（６２）の一部である請求項７の施錠装置（１０）。
【請求項９】
上記基体（４０）は、上向きの複数の切り欠き部（５１，５３，５５）を有する複数の背面部（４５）を含み、
上記蓋体（２０）は、下向きの複数の切り欠き部（３１，３３，３５）を有する背面部（２５）を含む請求項８の施錠装置（１０）。
【請求項１０】
上記基体の（４０）の上記切り欠き部（５１，５３，５５）は、蓋体（２０）の切り欠き部（３１，３３，３５）と協働するように配置され、それによって、蓋体（２０）及び基体（４０）が閉鎖状態にある場合に、取付ネジ（１８）の一部が、上記切り欠き部（５１，５３，５５，３１，３３，３５）を通り、
上記取付ネジ（１８）の上記ヘッド部（８）は、上記切り欠き部（５１，５３，５５，３１，３３，３５）の間に保持される請求項９の施錠装置（１０）。
【請求項１１】
上記基体（４０）の切り欠き部（５１，５３，５５）は、互いに空間的に隔てた取付ネジ（１８）に応じて、また、別装置であるトローリングモータ（４）に応じて、蓋体（２０）の切り欠き部（３１，３３，３５）と協働するように配置された
請求項１０の施錠装置（１０）。
【請求項１２】
上記外れ止め（６５）は、少なくとも１つの外れ止め突起（６６）を含み、
上記外れ止め受け（６７）は、スロット（６８）を含み、上記スロット（６８）は、上記スロット（６８）の内方に形成される少なくとも１つの突起（６９）を有し、
外れ止め突起（６６，６９）は、固定するように係合可能である請求項１１の施錠装置（１０）。
【請求項１３】
上記蓋体（２０）は、ピン（７０）によって、回動可能に基体（４０）に取り付けられ、
上記ピン（７０）は、頭部（７２）と、口を広げられる端部（７４）とを含み、上記広げた端部（７４）は、ワッシャ（７６）によって保持される請求項１２の施錠装置（１０）。
【発明の詳細な説明】
【技術分野】
【０００１】
本発明は、概略、施錠や施錠機構に利用する施錠装置及び他の安全装置に関する。特に、本発明は、ボートのトランサムにトローリングモータを固定するために利用する装置に関する。本発明は、トローリングモータ用の施錠装置であって、それは構造上一体となっており、そのため、利用し易く、また部品を紛失する危険をなくすことができる。
【背景技術】
【０００２】
トローリングモータは、ボートの船外モータの小さいものであり、魚釣り等の最中に、より速く且つより静かにボートを移動するために、出力が小さいモータが必要とされる状況で利用される。船外モータのように、トローリングモータを利用する場合、モータは一般的にトランサム、すなわちボートの後壁に取り付けられる。その位置から、ユーザは、トローリングモータを制御して、ボートを移動させたり、また、方向転換させたりする。そのようなトローリングモータはしばしば、トランサムに掛かるＵ字状のフレームを利用し、そして、フレームの一部である取付ネジによってトランサムに固定される。クランプは、クランプを締め付けて、トローリングモータをトランサムに固定するために、手で回転できる頭部又は操作部を有する。使用中に、これらのクランプは、不注意ではね上げたり、回転したりして、トローリングモータがトランサムに完全には固定されない位置になることがある。トローリングモータに関して他の残念な現実の問題は、モータが比較的小型で軽量であり、そのため素早く容易にボートから取り外せるので、盗難に遭い易いということである。従来技術には、このような不注意での又は故意的な取り外しを防止し又は妨げるための多数の装置がある。しかしながら、従来の開示された装置は、多数の別々の部品又は部材からなっており、そのため、いずれか１つ以上の部品又は部材が他から分離した場合、機能を失う危険がある。
【発明の開示】
【発明が解決しようとする課題】
【０００３】
本発明者が考えるに、トローリングモータが取り付けられたボートにトローリングモータを安全かつ安価で固定するために、一体で一個の装置又は組立品が必要である。本発明は、適切に使用される限り、装置を使用している間中ずっと、トローリングモータの不注意な取り外し又は故意的な窃盗の防止を支援する装置を提供する。
【課題を解決するための手段】
【０００４】
本発明は、一体の装置を形成する複数の部品を有する独自の施錠装置を提供する。装置は、縦方向に伸びる蓋体にヒンジを介して取り付けられ縦方向に伸びる基体を有する。基体及び蓋体は、蓋体が基体に係合して回転した場合、トローリングモータのモータ支持部の取付ネジのヘッド部を覆うように機能的に設けられ、それによって、それらが回転することを防止する。基体及び蓋体の各々は、側壁部に形成された複数の協働する切り欠き部を有し、それらによって、取付ネジの各々のシャフトが、切り欠き部を貫通することが可能になる。そのようにして、基体及び蓋体は、取付ネジのヘッド部の上方を挟持する。基体及び蓋体はそれぞれ、協働する受容部及び回転可能な外れ止めを有するシリンダ錠も含み、それによって、基体及び蓋体はともに固定され、それらの間の取付ネジのヘッド部を保護する。本発明の装置に関する上述の及び他の特徴は、以下の詳細な説明によって明らかにされる。
【発明を実施するための最良の形態】
【０００５】
図を参照すると、同一の符号が付された要素は、全図を通して同一の要素に対応する。図１は、トローリングモータ用施錠装置の好ましい実施形態を示す斜視図であり、トローリングモータ用施錠装置は、概ね符号１０で示され、本発明に従って構成される。図１及び２の両図における想定図は、船外モータを例示し、トローリングモータ４がそれと関連して如何に利用されるかを例示する。しかし、それらは、要求されるものではなく、本発明を制限するものではない。
【０００６】
図示するように、トローリングモータ用施錠装置１０は、トローリングモータ４がボート２のトランサム１２に固定される場合、トローリングモータ４のモータ支持部の取付ネジ１８のヘッド部８に取り付けられる。装置１０を示す図２を参照すると、取付ネジ１８のヘッド部８から取り外された場合が明らかである。本発明の装置１０を設けるボート２又はトローリングモータ４の種類によって、本発明は制限されるものではない。減衰ネジ１８のヘッド部８の種類によっても、本発明は制限されるものではない。例えば、ヘッド部８は、一般的に図２に示すレバー形状のタイプである。すなわち、各ヘッド部８は、中心軸を中心に回転するものであり、モータ支持部６に対してヘッド部８を締め付け又は緩めるために回転力又はトルクをヘッド部８に与えるための、中心軸から外方に伸びるレバー部を有する。なお、モータ支持部６は、打ち込みネジのネジ部及びある種の「シート」又はパッド（図示せず）を含むものと理解される。ヘッド部８を回転させると、トランサム１２に向かうように又はそこから離れるようにシート又はパッドを駆動する方向に、取付ネジ１８は回転し、それによって、ヘッド部８は、トローリングモータ４をトランサム１２に効果的に固定する。装置１０の重要な内容は、取付ネジ１８のヘッド部８へのアクセスを防ぎ、それによって、装置１０が、適切に固定され又所定位置に施錠された場合に、取付ネジ２８の回転を防止することである。
【０００７】
図３を参照すると、本発明の装置１０の拡大後方図が示される。本図は、装置１０を示し、ボート２から取り外された場合であり、且つ、閉じた又は施錠した状態である場合である。図４は、装置１０を示し、図３に示す右上方から上下を逆にしただけである。図示するように、装置１０は、縦方向に伸びる略長方形の蓋体２０と、類似の形状であるが僅かに小さい基体４０とを有する。図３及び４に示すように共に所定位置に配置されると、蓋体２０と基体４０は、略直方体を形成する。装置１０は、基体４０及び蓋体２０を有し、それらが、本明細書で開示して説明するような意図で機能する中空構造を形成できる限り、厳格な形状が本発明を限定するものではない。しかし、好ましい実施形態では、蓋体２０は、第１端部２２及び第２端部２４を有する。縦方向に伸びる実質的に平らな上面部２１と、縦方向に伸びる実質的に平らな前面部２３と、縦方向に伸びる実質的に平らな背面部２５とは、蓋体２０の第１端部２２及び第２端部２４の間に伸びる。実質的に平らな側面部又は端面部２７は、蓋体２０の第２端部２４から上面部２１から概ね垂直に下方に伸びる。開口２９は、蓋体２０の第１端部２２に配置され、開口２９によって、蓋体２０に対して基体４０が回転し易くなる。図５及び６も参照する。装置１０の基体４０は、同様に、第１端部４２と第２端部４４を有する。縦方向に伸びる実質的に平らな底面部４１と、縦方向に伸びる実質的に平らな正面部４３と、縦方向に伸びる実質的に平らな背面部４５とは、基体４０の第１端部４２及び第２端部４４の間に伸びる。基体４０は、１組の対向する実質的に平らな側面部４７，４９を有し、側面部４７，４９は、基体４０の底部４１から概ね垂直に上方に伸びる。
【０００８】
複数の下向きで概ねアーチ型の切り欠き部３１，３３，３５が、蓋体２０の平らな背面部２５内に形成される。同様に、複数の上向きで概ねアーチ型の切り欠き部５１，５３，５５が、基体４０の平らな背面部４５内に形成される。切り欠き部３１，３３，３５，５１，５３，５５の厳密な形状が本発明を限定するものではない。しかし、アーチ状の形状は、図３及び４に示すように、蓋体２０が基体４０を覆う場合、蓋体２０の下向きの切り欠き部３１，３３，３５を貫通し、且つ、基体４０の切り欠き部５１，５３，５５を貫通するように意図された、取付ネジ１８のネジが切られたシャフトの円形の形状に最も似ている。図示するように、蓋体２０の第１切り欠き部３１は、概ね基体４０の第１切り欠き部５１に揃えられるなどになっており、これらよって、装置１０の内部にアクセスするための、機能的に協働する開口が形成される。切り欠き部３１，３３，３５，５１，５３，５５の間隔は、装置１０が適用されるトローリングモータ４の別異の製造者が用いる取付ネジ１８の間隔が異なることに応じて、寸法が変わってもよいものである。これによって、装置１０の使用における多様性が加わる。
【０００９】
蓋体２０の上面部２１は、その中に形成される開口３２を有する。この開口３２は、概ね符号６０で示される施錠部の一部を収容するように、機能的に設けられる。同様に、基体４０の底面部４１は、その中に形成される開口５２を有し、この開口５２もその中に施錠部６０の一部を収容するように機能的に形成される。既に示唆したように、基体４０は、蓋体２０に回動可能に取り付けられる。これを可能にするため、蓋体２０の正面部２３は、開口３４を有し、蓋体２０の背面部２５は、開口３６を有する。図６を参照する。同様に、基体４０の正面部４３は開口５４を有し、基体４０の背面部４５は開口（図示せず）を有する。基体４０及び蓋体２０が互いに上端に配置されると、開口３４，３６，５４は一直線になる。このように、ピン７０は、開口３４，３６，５４を通って挿入できる。ピン７０は、ヘッド部７２及び端部７４を含み、端部７４は、ワッシャ７６を受け入れるように設けられ、ピン７０が外れることを防ぐために、装置では口が広げられている。
【００１０】
特に図６を参照すると、分解図に示される施錠部６０は、錠収容部６４の中に形成される開口６３にスライドして収容できる錠シリンダ６２を有する。錠シリンダ収容部６４は、蓋体２０の上面部２１に固定又は取り付けられている。また、錠シリンダ収容部６４の中に形成される開口６３は、蓋体２０の上面部２１を完全に通っている。このように、錠シリンダ６２は、蓋体２０の上面部２１を貫通して伸びる。錠シリンダ６２は、錠収容端部６１を有する。錠収容端部６１は、更に、リング７３とキャップ７５を有するキャップ組立部７１を有する。キャップ組立部７１のリング７３は、錠シリンダ６４の中に形成されるリング収容溝７７の中に収容可能である。錠シリンダ６２の最も底の部分は、外れ止め６５を有し、外れ止め６５は、対向して外方に突出した外れ止め突起６６を有する。外れ止め突起６６によって、外れ止め６５は意図するように機能するものである。基体４０の底面部４１は、底面部４１に固定又は取り付けられる外れ止め受け６７を有する。施錠部６０の外れ止め受け６７は、その中に形成されるスロット６８を有する。スロット６８は、対向して外方に伸びる突起６９を有し、外れ止め受け６７の突起６９は、外れ止め６５の突起６６に機能的に係合し、装置１０が意図するように使用されている場合には、そのような係合によって、錠シリンダ６２及び蓋体２０が外れ止め受け６７及び基体４０に対して上方に移動することを防止する。ここで再び、外れ止め受け６７のスロット６８の中に形成される１つの突起６９によって、外れ止め受け６７は意図するように機能でき、１つの突起６９は、外れ止め６５の外れ止め突起６６の１つと機能的に係合する。
【００１１】
基体４０及び蓋体２０は、好ましくは、各々が一体の押し出し形成又は曲げ加工された金属製のシート材料である。しかし、これによって本発明が限定されるものではない。装置１０の内部領域、すなわち、部材が閉じた又は施錠した状態である場合に基体４０と蓋体２０の間の部分は、発泡ゴムのような弾力のある緩衝材を含み、それによって、取付ネジのヘッド部８に関して装置１０が移動し、又、それらの部品が摩耗することを防ぐ。
【００１２】
使用時には例えば、ユーザは適切に取付ネジ１８のヘッド部８を締め、次に、ユーザは本発明の一体的なトローリングモータ用施錠装置１０を取付ネジ１８のヘッド部８の直下に位置付ける。装置１０は、概ね水平な基体４０と概ね垂直な蓋体２０を有するＬ字状の形態であり、それら２つの部材２０，４０は常にピン７０を介して互いに接続されている。代わりに、図２に示すように、装置１０は、概ね垂直な基体４０と概ね水平な蓋体２０とを有するＬ字状の形態であってもよい。いずれの例も利用可能であり、ユーザが選択する。重要なことは、取付ネジ１８のヘッド部８の相互の間隔と位置によって、切り欠き部３１，３３，３５，５１，５３，５５のいずれかが取付ネジ１８のヘッド部８に揃うように決定されることである。ピン７０に最も近い切り欠き部３１，５１は、常に使用される。次に、取付ネジ１８が互いに近い場合、第１切り欠き部３１，５１に近い切り欠き部３３，５３、すなわち、第２切り欠き部３３，５３が使用される。取付ネジ１８が遠く離れている場合、第１切り欠き部３１，５１から遠い切り欠き部３５，５５、すなわち、第３切り欠き部３５，５５が使用される。ユーザは、次に、蓋体２０を基体４０の上にかぶせようとする。この時、一体的な施錠部６０の外れ止め６５が、下方に移動して、外れ止め受け６７のスロット６８の間に入って、そこを通過する。施錠部６０の錠収容端部６１の中に置かれる錠（図示せず）が、次に、外れ止め６５を回転させるために利用され、それによって、外れ止め突起６６は外れ止め受け６７の突起６９に係合し、効果的に装置を所定状態で固定する。取付ネジ１８のヘッド部８から装置１０を取り外すために、上述の工程を逆に全て実行する必要がある。
【００１３】
更なる利点及び改良は、当業者により容易になされる。そのため、その限界的な態様での本発明は、本明細書に開示してまた説明した特定の詳細な例に限定されない。従って、概ね本発明の概念の精神又は範囲から逸脱しない限り、種々の改良がなされる。
【図面の簡単な説明】
【００１４】
【図１】図１は、ボートに設けたトローリングモータに利用される本発明のトローリングモータ用施錠装置を、正面、上方及び左側方から見た斜視図であり、装置は、取り付けられるか、又は固定された状態で示される。
【図２】図２は、ボートに設けたトローリングモータに利用される本発明のトローリングモータ用施錠装置を正面、上方及び左側方から見た斜視図であり、装置は、分離されているか、又は取り外された状態で示される。
【図３】図３は、図１及び２に示すトローリングモータ用施錠装置を正面、上方及び左側方から見た拡大斜視図であり、施錠又は閉じた状態である装置を示す。
【図４】図４は、図３に示す施錠装置の後方、下方及び左側方から見た拡大斜視図である。
【図５】図５は、図３及び４に示す施錠装置の後方、上方及び左側方から見た拡大斜視図であり、解錠又は開放状態である装置を示す。
【図６】図６は、本発明の装置を分解して後方、下方及び左方から見た斜視図である。
【図１】
2008545906.tif 000003
【図２】
2008545906.tif 000004
【図３】
2008545906.tif 000005
【図４】
2008545906.tif 000006
【図５】
2008545906.tif 000007
【図６】
2008545906.tif 000008
【国際調査報告】
2008545906.tif 000009
2008545906.tif 000010
2008545906.tif 000011